(57)【要約】【課題】パネルの建物躯体への取付時においても作業効率および安全性の高い吊り上げ治具およびそのパネル取付施行方法を提供する。【解決手段】水平に置かれたコンクリートパネルを垂直状に引き起こして吊り上げるためのパネル吊り上げ用治具であって、パネル吊り上げ用治具は平板部材と壁面支持部材とからなり、平板部材はコンクリートパネルの上側小口面に当接され、また壁面支持部材は建物躯体側のパネル取付側壁面に当接される支持片を有し、その支持片がパネル壁面と平行に回動するとともにパネル厚さ方向に摺動するように壁面支持部材が平板部材に連結されているパネル吊り上げ用治具。【選択図】図１
2004244957.tif 000002
【特許請求の範囲】
【請求項１】
水平に置かれたコンクリートパネルをその上側小口面に埋設された吊り具により垂直状に引き起こして吊り上げるためのパネル吊り上げ用治具であって、
前記パネル吊り上げ用治具は平板部材と壁面支持部材とからなり、前記平板部材はコンクリートパネルの上側小口面に当接され、また前記壁面支持部材は建物躯体側のパネル取付側壁面に当接される支持片を有し、その支持片がパネル壁面と平行に回動するとともにパネル厚さ方向に摺動するように前記壁面支持部材が前記平板部材に連結されていることを特徴とするパネル吊り上げ用治具。
【請求項２】
水平に置かれたコンクリートパネルをその上側小口面に埋設された吊り具により垂直状に引き起こして吊り上げるためのパネル吊り上げ用治具であって、
前記パネル吊り上げ用治具は平板部材と壁面支持部材とからなり、前記平板部材はコンクリートパネルの上側小口面に当接され、また前記壁面支持部材は建物躯体側のパネル取付側壁面に当接される支持片を有する断面略Ｌ字状の部材であり、その壁面支持部材が着脱可能に前記平板部材に連結されていることを特徴とするパネル吊り上げ用治具。
【請求項３】
前記壁面支持部材が、平板部材の長さ方向中央から対象位置に１つずつ設けられている請求項１または２記載の吊り上げ用治具。
【請求項４】
請求項１〜３記載のパネル吊り上げ用治具を用いて、
１）水平に置かれたコンクリートパネルの吊り具が埋設されているパネル上端部に前記パネル吊り上げ治具を取付ける工程、
２）その吊り具によりコンクリートパネルを垂直状に引き起こすとともにパネルを吊り上げる工程、
３）パネル吊り上げ治具の壁面支持片をパネル壁面と平行に回動させるとともにパネル厚さ方向に摺動させる、または壁面支持部材を取り外す工程、
４）取付金物を介してパネル上部を建物躯体に取付ける工程、
５）パネルからパネル吊り上げ用治具を取り外す工程、
から成るパネル取付施工方法。
【発明の詳細な説明】
【０００１】
【発明の属する技術分野】
本発明は、地上面などに水平に置かれたコンクリートパネルをその上側小口面に埋設された吊り具により引き起こして吊り上げ、さらにパネルを建物躯体に取付け固定する際に用いる吊り上げ治具およびそのパネル取付施工方法に関する。
なお、上側小口面とは、パネルが吊り上げられた時に上側となるパネル小口面とする。
【０００２】
【従来の技術】
水平に置かれたコンクリートパネル（以下、パネルという。）を引き起こして吊り上げるためのパネル吊り具および吊り上げ治具に関する技術が、特許文献１に開示されており、それらによるパネル吊り上げは、次の手順により行われる。すなわち、図６に示すようにパネル４０内部に、その上側小口面４０ａに垂直な縦孔４３と横側小口面４０ｃに垂直な横孔４４とを、それぞれを連通させて形成する。
そして、縦孔４３へ上方から挿入した吊り部材４２と横孔４４から挿入した棒材４５とを、その吊り部材４２に設けられた挿通孔４２ａに棒材４５を挿通させることにより係合させる。
【０００３】
次に、Ｌ型部材４６をパネル４０の上側小口面４０ａと壁面４０ｂ（図中パネル裏側面）とに当接させるとともに、Ｌ型部材４６の孔４６ａに吊り部材４２の先端ネジ部４２ｂを挿通させたのち、その先端ネジ部４２ｂにナット部材４１を螺合させてＬ型部材４６をパネル４０の上側小口面４０ａに固定する。
そして、ナット部材４１に設けられた係止部４１ａにクレーンのフック（図示せず。）を係止させて、地上面などに水平に置かれた状態のパネルを垂直状になるまで引き起こし、さらに、建物躯体のパネル取付位置まで吊り上げて移送する。
ここで、Ｌ型部材４６は、パネル４０の引き起こしの際に、吊り部材４２によりパネル４０に発生する剪断力を周囲に分散させる働きをする。その結果、パネルの一部分に剪断力が集中することがなくなるため、パネル端部の破損が防止される。
【０００４】
【特許文献１】
実開平４−５６１８６号公報
【０００５】
さらに、図７に示すように、吊り上げられたパネル４０はアングル鋼材２２および長尺金具１９を介して、建物躯体である鉄骨梁２１に取付固定される。
すなわち、長尺金具１９の孔１９ａを挿通させたボルト２０がパネル４０の上方に埋設されたアンカー（図示せず。）に係合されて長尺金具１９の下部がパネルに取付けられる。そして、長尺金具１９の上部が、鉄骨梁２１上面に水平片２２ｂが溶接固定されたアングル鋼材２２の立設片２２ａに溶接固定される。
また、図７に示す自重受け金具２３は、アングル鋼材２２の立設片２２ａに溶接固定して、上層のパネルの下側小口面を支持させる金具である。
【０００６】
このパネル取付作業は、通常は次に示す手順により施工される。
（図７参照。）
１）吊り上げられたパネル４０の下側小口面を自重受け金具２３に載置する。
２）パネル下方壁面とイナズマプレート２４との間にアングル鋼材２２の立設片２２ａを狭持させ、そのイナズマプレート２４をパネル４０の下方に埋設されたアンカー（図示せず）にボルト２０で仮固定することにより、パネル４０の下方を仮止めする。
３）パネル４０の上方を鉄骨梁２１のアングル鋼材２２に接近させる。
４）パネル４０を吊り上げている吊りワイヤー１８のフック１８ａをナット部４１から取り外し、さらに吊り部材４２およびＬ型部材４６をパネル４０から取り外す。
このときから下記６）の作業終了まで、パネル４０が室外側に倒れないように手で押さえておく必要がある。
５）このパネル仮設の状態で、長尺金具１９の孔１９ａに挿通させたボルト２０を、パネル４０の上方に埋設されたアンカーに螺合させて、長尺金具１９の下方をパネル４０の室内側壁面（図中パネル裏面）に取付ける。
６）そして、長尺金具１９の上部をアングル鋼材２２の立設片２２ａに溶接固定する。これにより、パネル４０の上方が建物躯体に取付固定される。
７）先に、イナズマプレート２４を仮止めしていたボルト２０を締め込み、パネル４０の下方を固定する。
８）自重受け金具２３を、アングル鋼材２２の立設片２２ａに溶接固定する。
【０００７】
【発明が解決しようとする課題】
しかし、上記パネル取付作業において、次の問題点がある。
すなわち、上記４）において、パネル４０に長尺金具１９を取付けるときに、パネル４０から吊り部材４２およびＬ型部材４６を予め取り外しておく必要がある。これは、Ｌ型部材４６がパネル４０に装着されていると、Ｌ型部材４６と長尺金具１９とが干渉してしまい、パネル壁面に長尺金具１９を当接させて取付けられないからである。
しかし、吊り部材４２およびＬ型部材４６を取り外してしまうと、パネル４０の上部が完全に取付けられるまで、パネル４０が室外側に倒れないように手または他の治具でパネル４０の上部を押さえておく必要がある。
このような作業は、作業効率が悪いとともに安全面からも好ましくない。
そこで、本発明の目的は上記問題点を解決して、パネル取付時においても作業効率および安全性の高い吊り上げ治具およびそのパネル取付施工方法を提供することにある。
【０００８】
【課題を解決するための手段】
前記課題を解決するために、
第１発明は、水平に置かれたコンクリートパネルをその上側小口面に埋設された吊り具により垂直状に引き起こして吊り上げるためのパネル吊り上げ用治具であって、
前記パネル吊り上げ用治具は平板部材と壁面支持部材とからなり、前記平板部材はコンクリートパネルの上側小口面に当接され、また前記壁面支持部材は建物躯体側のパネル取付側壁面に当接される支持片を有し、その支持片がパネル壁面と平行に回動するとともにパネル厚さ方向に摺動するように前記壁面支持部材が前記平板部材に連結されているパネル吊り上げ用治具とした。
【０００９】
第２発明は、水平に置かれたコンクリートパネルをその上側小口面に埋設された吊り具により垂直状に引き起こして吊り上げるためのパネル吊り上げ用治具であって、
前記パネル吊り上げ用治具は平板部材と壁面支持部材とからなり、前記平板部材はコンクリートパネルの上側小口面に当接され、また前記壁面支持部材は建物躯体側のパネル取付側壁面に当接される支持片を有する断面略Ｌ字状の部材であり、その壁面支持部材が着脱可能に前記平板部材に連結されているパネル吊り上げ用治具とした。
【００１０】
さらに、第３発明は、第１、第２発明において、壁面支持部材が平板部材の長さ方向中央から対象位置に１つずつ設けられている吊り上げ用治具とした。
【００１１】
また、第４の発明は、前記第１〜３発明のパネル吊り上げ用治具を用いて、
１）水平に置かれたコンクリートパネルの吊り具が埋設されているパネル上端部に前記パネル吊り上げ治具を取付ける工程、
２）その吊り具によりコンクリートパネルを垂直状に引き起こすとともにパネルを吊り上げる工程、
３）パネル吊り上げ治具の壁面支持片をパネル壁面と平行に回動させるとともにパネル厚さ方向に摺動させる、または壁面支持部材を取り外す工程、
４）取付金物を介してパネル上部を建物躯体に取付ける工程、
５）パネルからパネル吊り上げ用治具を取り外す工程、
から成るパネル取付施工方法を採用した。
【００１２】
【発明の実施の形態】
以下、本発明の実施形態を図１〜図５に基づいて説明する。なお、符号は従来例と同一のものはその符号を付した。
本発明におけるパネル吊り上げ用治具１の実施形態を図１および図２に示す。図３はパネル吊り上げ用治具１がパネル１０の小口面に装着される状況、図４はパネルが建物駆体に取付固定される状況をそれぞれ示す。また、図５はパネル１０の上側小口面に吊り具１２が埋設されている状態を示す。
【００１３】
本発明は、図３および図４に示すように、パネル１０の上側小口面１０ａに装着して使用されるパネル吊り上げ用治具１である。
具体的には、水平に置かれたパネル１０の上側小口面１０ａに埋設された吊り具１２と係止具１１とを係合させたのち、その係止具１１に吊りワイヤーのフックを係合させて、パネル１０を垂直状に引き起して、さらに吊り上げてパネル取付位置まで移送させて、パネル１０を建物駆体に取付固定する施工作業において使用される。
【００１４】
このパネル吊り上げ用治具１は、図１および図２に示すように、パネル１０の上側小口面に当接される平板部材２と、建物躯体側のパネル取付側壁面１０ｂに当接される支持片４を有する壁面支持部材３とから構成される。
そして、平板部材２には、係止具１１を挿通させて吊り具１２を係合させる挿通孔２ａが設けられている。なお、平板部材２は平板鋼材が取り扱い易く最も好ましいが、四角状または管状の鋼材であっても良い。
【００１５】
先ず、第１発明に係るパネル吊り上げ用治具１の実施形態を、図１に基づいて説明する。
このパネル吊り上げ用治具１は、壁面支持部材３の支持片４がパネル取付側壁面１０ｂと平行に回動するとともにパネル１０の厚さ方向に摺動するように、連結部５により壁面支持部材３が平板部材２に連結されている。
この壁面支持部材３は、図１に示すように、支持片４とその端部付近に先端が溶接固定されたボルト状の棒状体７、および、棒状体７が挿通されて螺合されるナット状の筒状体６とから成なっている。
また、連結部５が平板部材２の表面に溶接固定されているとともに、その連結部５には棒状体７が挿通されて摺動可能な貫通孔５ａが設けられている。
【００１６】
そして、図３に示すように、上記構成のパネル吊り上げ用治具１は、吊り具１２が埋設されたパネル１０の上側小口面１０ａおよび取付側壁面１０ｂへ当接させて、次の手順により装着される。
先ず、平板部材２の挿通孔２ａを挿通した係止具１１が吊り具１２に係合されることにより、パネルの上側小口面１０ａに平板部材２が取付けられる。
このとき、壁面支持部材３の支持片４はパネル１０と干渉しないようにパネル１０と反対側に回動させておく。
連結部５の貫通孔５ａは棒状体７の直径より大きく設定してあるため、棒状体７が容易に貫通孔５ａに挿通できるとともに、棒状体７がパネルの厚さ方向（図３中の矢印Ａ）に摺動可能な状態となる。
これにより、棒状体７に溶接固定されている支持片４は、パネルの厚さ方向の摺動、およびパネル取付側壁面１０ｂと平行な回動が可能となる。
また、筒状体６を棒状体７から取り外すことにより、壁面支持部材３を平板部材２から容易に取り外すことができる。
【００１７】
次に、図３に示すように、パネル１０の小口面または壁面に沿って支持片４を摺動（図中矢印Ａ）および回動（図中矢印Ｂ）させて、パネル取付側壁面１０ｂ（図中パネルの下側面）に当接させる。その後、パネル取付側壁面１０ｂに支持片４が確実に当接して固定されるまで、棒状体７に螺合している筒状体６を回転させる。
これにより、パネル吊り上げ用治具１が、パネル１０の上側小口面およびにパネル取付側壁面１０ｂに当接して固定される。
このとき、パネル１０の厚さ方向に支持片４が摺動可能となっているため、平板部材２を小口面に取付けて固定した後であっても、そのパネル１０の厚さに関係なく支持片４を壁面１０ｂに当接させることができる。
【００１８】
この状態で、係止具１１にクレーンのフックを係合させて、水平に置かれたパネル１０を垂直状に引き起こす。
このとき、パネル取付壁面１０ｂがパネル吊り上げ用治具１の支持片４により支えられているため、パネル１０の引き起こし時に吊り具１２により発生するパネル剪断力に対する強度が向上する。これにより、パネル端部の破損が防止される。
【００１９】
さらに、パネル１０は垂直状に吊り上げられた状態で、建物駆体のパネル取付位置へ移送される。
そして、図４に示すように、吊り上げられたパネル１０は長尺金具１９とアングル鋼材２２とを介して、建物躯体である鉄骨梁２１に取付固定される。
なお、建物駆体（鉄骨梁２１）にパネル１０が取付固定された状態は、図４に示すように、従来技術（図７に示す）と同じ取付構造である。
このとき、図１に示すパネル吊り上げ用治具１を使用して、パネル取付作業をするとその効率および安全性が向上する。
【００２０】
すなわち、本発明のパネル吊り上げ用治具１を採用することにより、パネルの上方を鉄骨梁２１に固定する際に、従来と違って、クレーンのフック、係止具１１およびパネル吊り上げ用治具１をパネル１０から取り外す必要がない。
それは、図４に示すように、パネル吊り上げ用治具１の筒状体６を回転させて（緩めて）パネル１０の厚さ方向に棒状体７が摺動可能とすることにより、パネル取付壁面１０ｂから支持片４を離間させ、さらに、その支持片４をパネル取付壁面１０ｂと反対側に回動（図中矢印Ｂ）させる。
【００２１】
これにより、パネル吊り上げ用治具１（支持片４）と長尺金具１９とは互いに干渉することがなくなるため、係止具１１によりパネル１０が吊り上げられた状態であっても、パネル壁面に長尺金具１９を当接させて取付固定できるようになる。
さらに、パネル１０が吊り上げられた状態であっても、パネル吊り上げ用治具１（支持片４）とアングル鋼材２２とは互いに干渉することがないため、長尺金具１９をアングル鋼材２２の立設片２２ａに当接させて、容易に溶接固定ことができる。
この結果、パネルの上部を取付ける際に、パネル１０が倒れないように手または他の治具でパネルを押さえておく必要が全く無くなる。
さらに、建物駆体に完全にパネルが取付固定されてから、吊り上げ用治具１を取り外すことができるようになるため、パネル取付作業を安全に実施して完了することが可能となる。
【００２２】
なお、１）パネル１０を自重受け金具２３に載置する。２）パネル下部をイナズマプレートで仮止めする。３）パネル４０の上方を鉄骨梁２１に接近させる。５）長尺金具１９の下方をパネル取付側壁面へ取付ける。６）長尺金具１９の上部をアングル鋼材２２の立設片２２ａに溶接固定する。
および、７）ボルト２０を本締めしてイナズマプレート２４をパネル下方を取付固定する。８）自重受け金具２３をアングル鋼材２２に溶接固定する。等のパネル取付における作業手順は、従来と同じである。
また、図１または図４に示すように、本実施形態におけるパネル吊り上げ用治具１は、パネル１０に長尺金具１９を取付ける際に、支持片４が自由に回動するため、平板部材２から壁面支持部材３を取り外す必要も無くなる。
これにより、さらに、取り外した部材が落下するなどの危険を回避することができるようになる。
【００２３】
次に、第２発明に係るパネル吊り上げ用治具１の他の実施形態を、図２に基づいて説明する。
このパネル吊り上げ用治具１は、パネル１０の上側小口面１０ａに当接される平板部材２と断面略Ｌ字状の壁面支持部材３とから構成される。
さらに、その壁面支持部材３は、建物躯体側のパネル取付側壁面１０ｂに当接される支持片４と、平板部材２に取付けられる連結片８とから成る。
平板部材２の挿通孔２ａを挿通した係止具１１が吊り具１２に係合されることにより、パネルの上側小口面１０ａに平板部材２が取付けられる。
また、壁面支持部材３は、その連結片８の取付部８ａを挿通させたボルト９が平板部材２のネジ孔２ｂに螺合されることにより、着脱可能に平板部材２に連結して固定される。
【００２４】
図２に示すパネル吊り上げ用治具１をパネル１０の上側小口面１０ａに装着させたのち、係止具１１にクレーンのフックを係合させて、水平に置かれたパネル１０を垂直状に引き起こす。
このとき、パネル取付壁面１０ｂがパネル吊り上げ用治具１の支持片４により支えられているため、パネル１０の引き起こし時に吊り具１２により発生するパネル剪断力に対する強度が向上する。これにより、パネル端部の破損が防止される。
【００２５】
さらに、図２に示すパネル吊り上げ用治具１が装着されて垂直状に吊り上げられたパネル１０は、建物駆体の取付位置へ移送される。
そして、パネル取付側壁面１０ｂに長尺金具１９を取付けるときに、平板部材２から壁面支持部材３を取り外すことにより、パネル吊り上げ用治具１（支持片４）と長尺金具１９とが互いに干渉することがなくなる。
これにより、係止具１１によりパネル１０が吊り上げられた状態であっても、パネル壁面に長尺金具１９を当接させて取付固定できようになる。
さらに、パネル１０が吊り上げられた状態であっても、パネル吊り上げ用治具１（支持片４）とアングル鋼材２２とは互いに干渉することがないため、長尺金具１９をアングル鋼材２２の立設片２２ａに当接させて、容易に溶接固定ことができる。
【００２６】
壁面支持部材３の連結片８の取付部８ａは、孔または溝形状にすることができる。図２に示すように、取付部８ａが溝形状であると、ボルト９を緩めることにより壁面支持部材３を容易に取り外すことができるため、より好ましい。
【００２７】
さらに、図１または図２に示すように、平板部材２の長さ方向中央から対象位置に壁面支持部材３が１つずつ設けられていると、吊り具１２を中心とした左右同寸法が離れた位置へ、吊り具１２による剪断力が均等に分散されるようになる。
また、パネル吊り具１２の埋設位置から壁面支持部材３の位置をより離すことができ、長尺金具１９などの取付金物との干渉をより避けることが可能となる。
【００２８】
【実施例】
以下、本発明の実施例を図１、図３、図４および図５に基づいて説明する。
図１に示すように、パネル１０（長さ：３０００ｍｍ、幅：６００ｍｍ、厚さ：１００ｍｍ）の上側小口面１０ａに当接される平板部材２（長さ：３００ｍｍ、高さ：５０ｍｍ、厚板：６ｍｍ）と、建物躯体側のパネル取付側壁面１０ｂに当接される支持片４（長さ：７０ｍｍ、幅：６５ｍｍ）を有する壁面支持部材３とから成るパネル吊り上げ用治具１とした。
そして、図１に示すように、壁面支持部材３のボルト状の棒状体７（長さ：１２０ｍｍ、直径：１２ｍｍ）の先端が、支持片４の端部付近に溶接固定されている。さらに、ナット状の筒状体６（長さ：２０ｍｍ、内径：２５ｍｍ）に棒状体７が挿通して螺合されている。
また、連結部５は平板部材２の表面に溶接固定されているとともに、その連結部５に設けられた方形の貫通孔５ａ（長さ：１２ｍｍ、幅：１６ｍｍ）に棒状体７が挿通されている。貫通孔５ａを方形状にすると、パネル吊り上げ用治具１をパネル１０へ装着する時に、棒状体１２ｂをその幅方向に多少動かして調整すことができてより取付けが容易となる。
【００２９】
このパネル吊り上げ用治具１をパネル１０の上側小口面１０ａに装着させたのち、係止具１１にクレーンのフックを係合させて、水平に置かれたパネル１０を垂直状に引き起こして吊り上げたのち、パネル１０をパネル取付位置まで移送させて建物駆体に取付固定した。
この結果、パネル吊り上げ用治具１が装着されパネル１０が吊り上げた状態であっても、パネル取付側壁面に長尺金具１９が容易に取付固定でき、さらに、アングル鋼材２２の立設片２２ａに長尺金具１９が支障なく溶接固定できて、建物駆体へ容易にパネル１０を取付けることができた。
また、パネル１０を水平に置いた状態で拘束し、係止具１１を吊り具１２に係合させ、さらに、その係止具を上方に引き上げてパネル１０の引き起こし時に発生する剪断試験を行った。
その結果、本発明のパネル吊り上げ用治具１が装着されたパネル１０は、装着されていないパネル１と比べて、２倍の荷重を係止具１１にかけてもパネルのひびまたは破損が発生することはなかった。
このように、本発明のパネル吊り上げ用治具１により、２倍以上のパネル剪断強度が得られるようになる。
【００３０】
なお、本実施例では、以下に示す吊り具１２を埋設したパネル１０を使用した。
すなわち、図５に示すように、パネル１０（長さ：１８００ｍｍ、幅：６００ｍｍ、厚さ：１００ｍｍ）は、上側小口面１ａに縦孔１３（直径：３０ｍｍ、長さ：３００ｍｍ）とパネル壁面１０ｂに縦孔１３へ連通する横孔１４とが形成されている。
縦孔１３は、パネル厚さの中心であってパネル幅方向の中心に穿設されている。さらに、縦孔１３の開口部の直径を３５ｍｍとする円錐状の拡径部１３ａが、上側小口面１０ａから１００ｍｍの深さ位置まで設けられている。
横孔１４（直径：１４ｍｍ、長さ：９５ｍｍ）は、それぞれの縦孔１３へ連通するように上側小口面１０ａから２８０ｍｍの位置の壁面１０ｂに穿設されている。
【００３１】
そして、図５に示すように、縦孔１３から挿通された棒状体１２ｂの挿通孔１２ｃに、横孔１４から挿通された挿通部材１５が係合されている。
棒状体１２ｂは直径：２８ｍｍ、長さ：３００ｍｍ、厚み：３ｍｍの鋼管とした。棒状体２ｂの下端から２００ｍｍまでの外周面にローレット加工による凹凸部２ｂｂ（種類：あや目、ピッチｔ：１．２７ｍｍ、深さ：０．１５ｍｍ）を設けた。
そして、棒状体１２ｂの上端には上側小口面１０ａに当接させる鍔部１２ａ（直径：５０ｍｍ、板厚３ｍｍ）が設けられている。
さらに、パネル吊り具１２は、図５に示すように、係止具１１を係合させる吊り上げ用係合部１２ｂａがパネル１０の上側小口面１ａ側の棒状体２ｂ内部に設けられている。
また、挿通部材１５は直径：１２ｍｍ、長さ：８０ｍｍの棒鋼鉄とした。
【００３２】
さらに、接着材１７の注入孔１６（直径：１３ｍｍ、長さ：９５ｍｍ）は、上側小口面１０ａから２００ｍｍの位置で縦孔１３へ連通して穿設されている。
接着材１７は、変成シリコーン系の１液カートリッジタイプ（粘度２５：Ｐａ・ｓ／２０℃、硬さ（ショア−Ａ）：２０）の弾性接着剤を使用した。そして、横孔１４の開口に接着材７の上昇が確認されるまで注入孔１６から接着材１７を圧入し続けた。このとき、棒状体１２ｂの凹凸部１２ｂｂの全域（すなわち、２００ｍｍ／３００ｍｍ＝６６％  ＞  １／２  ）にわたって接着材１７が固着されていた。
【００３３】
【発明の効果】
本発明によれば、水平に置かれたパネルを垂直状に引き起こす際に、吊り具が発生する剪断力によるパネル端部の破損が防止される。
さらに、パネルがクレーンなどで吊り上げられた状態であっても、パネルを建物駆体へ容易にかつ安全に取付けることができる。
また、本発明によれば、パネルの外装壁面に意匠あるいはタイルが貼着されたパネルに適用することにより、その意匠面に損傷を与えることなくパネルを吊り上げて建物躯体に取付固定することが可能となり、その効果がより発揮される。
【図面の簡単な説明】
【図１】本発明のパネル吊り上げ用治具の一実施形態を示す斜視図。
【図２】本発明の他のパネル吊り上げ用治具の他の実施形態を示す斜視図。
【図３】本発明におけるパネル吊り上げ用治具をパネル小口面に装着する状
態を示す斜視説明図。
【図４】本発明におけるパネル吊り上げ用治具を用いて、パネル上方が建物
駆体に取付固定される状態を示す斜視説明図。
【図５】パネル吊り具の一例を示す斜視図。
【図６】従来例における吊り上げ用治具（Ｌ型部材）がパネル上小口面に装
着される状態を示す斜視説明図。
【図７】従来例における吊り上げ用治具（Ｌ型部材）を用いて、パネル上方
が建物駆体に取付固定される状態を示す斜視説明図。
【符号の説明】
１  吊り上げ用治具
２    平板部材
２ａ  挿通孔
２ｂ  ネジ孔
３    壁面支持部材
４    支持片
５    連結部
５ａ  貫通孔
６    筒状体
７    棒状体
８    連結片
８ａ  取付部
９    ボルト
１０    コンクリートパネル（ＡＬＣパネル）
１０ａ  上側小口面
１０ｂ  パネル取付側壁面
１１    係止具
１２    パネル吊り具
１２ａ  鍔部
１２ｂ    棒状体
１２ｂａ  吊り上げ用係合部
１２ｂｂ  凹凸部
１２ｃ    挿通孔
１３    縦孔
１３ａ    拡径部
１４    横孔
１５    挿通部材
１６    注入孔
１７    接着材
１８    吊りワイヤー
１９    長尺金具
１９ａ  孔
２０    ボルト
２１    鉄骨梁
２２    アングル鋼材
２２ａ  立設片
２２ｂ  水平片
２３    自重受け金具
２４  イナズマプレート
４０  パネル（コンクリートパネル）
４０ａ  上側小口面
４０ｂ  壁面
４０ｃ  横側小口面
４１  ナット部材
４１ａ  係止部
４２  吊り部材
４２ａ  挿通孔
４２ｂ  先端ネジ部
４３  縦孔
４４  横孔
４５  棒材
４６  Ｌ型部材
４６ａ  孔
【図１】
2004244957.tif 000003
【図２】
2004244957.tif 000004
【図３】
2004244957.tif 000005
【図４】
2004244957.tif 000006
【図５】
2004244957.tif 000007
【図６】
2004244957.tif 000008
【図７】
2004244957.tif 000009